(57)【要約】【課題】複数の宛先が指定され、送信指示された場合、ＰＣ用のメールアドレスには個別に送信を行い、インターネットファクシミリ用のメールアドレスには一括して送信を行うことにより、ＰＣの受信者に、他の誰に対して送ったかがわからないようにする。【解決手段】ユーザーは機器によく使う宛先Ｔｏとして、機器の宛先表に宛先を登録する際に、ＰＣ用のメール宛先かインターネットファクス用のメール宛先かを登録しておく。ＰＣ用の宛先を一括で送るか、個別で送るかの指示を行うのは、ユーザーが送信指示を行うごとに指示するか、機器で予め設定してある。メール送信の指示があった場合、メール送信をする際の設定が、ＰＣ用の宛先は個別で送信する設定の場合（Ｓ１０１のＹＥＳ）、ＰＣ用宛先はＴｏのエリアに個別に設定し、複数の送信ファイルを作成する（Ｓ１０２）。【選択図】図２
2006261723.tif 000002
【特許請求の範囲】
【請求項１】
ネットワークと接続可能でメールにてファクス送信可能な送信手段を有するインターネットファクシミリ装置において、
複数の宛先が指定され、送信指示された場合、ＰＣ用のメールアドレスには個別に送信を行い、インターネットファクシミリ用のメールアドレスには一括して送信を行う、送信手段を有することを特徴とするインターネットファクシミリ装置。
【請求項２】
請求項１記載のインターネットファクシミリ装置において、ＰＣ用メールの宛先を個別で送信を行うか一括で送信を行うかの設定を、予め機器の設定として設定する設定手段を有することを特徴とするインターネットファクシミリ装置。
【請求項３】
請求項１記載のインターネットファクシミリ装置において、送信指示をする際に、ユーザーがＰＣ用宛先を個別で送信を行うか、一括で送信を行うかの指示を行う指示手段を有することを特徴とするインターネットファクシミリ装置。
【発明の詳細な説明】
【技術分野】
【０００１】
本発明は、インターネットファクシミリ装置、より詳細には、複数の宛先が指定され、送信指示された場合に、ＰＣ用のメールアドレスには個別に送信を行い、インターネットファクシミリ用のメールアドレスには一括して送信を行うことができ、ＰＣの受信相手に、他の誰に対して送ったかがわからないようにすることのできるインターネットファクシミリ装置に関する。
【背景技術】
【０００２】
インターネットの急速な普及とともに、公衆網との接続機能を備えるとともに、インターネットとの接続機能を備えたインターネットファクシミリ装置が普及しつつある（特許文献１，２参照）
インターネットファクシミリ装置はメールにてファクシミリ送信が可能であるが、メール送信の場合、電子メールの宛先であるＴｏのエリアに複数のアドレスを指定することが可能である。その場合、ＰＣでそのメールを受け取った場合、他の誰に送信したかを受け取った側で知ることが可能である。
【特許文献１】特開２００４−１５３７７３号公報
【特許文献２】特開２００３−３３８９０１号公報
【発明の開示】
【発明が解決しようとする課題】
【０００３】
インターネットファクシミリ装置を用いてファクシミリ送信を行う場合、複数の宛先に送る際に、他の誰に対して送ったかを知らせたくない場合もあり、あえて知らせたい場合もある。
【０００４】
本発明は、上述のごとき問題を解決するためのもので、インターネットファクシミリ装置において、複数の宛先が指定され、送信指示された場合に、ＰＣ用のメールアドレスには個別に送信を行い、インターネットファクシミリ用のメールアドレスには一括して送信を行う送信手段を設けることにより、ＰＣの受信相手に、誰に対して送ったかがわからないようにすることのできるインターネットファクシミリ装置を提供することを目的としてなされたものである。
【課題を解決するための手段】
【０００５】
請求項１の発明は、ネットワークと接続可能でメールにてファクス送信可能な送信手段を有するインターネットファクシミリ装置において、複数の宛先が指定され、送信指示された場合、ＰＣ用のメールアドレスには個別に送信を行い、インターネットファクシミリ用のメールアドレスには一括して送信を行う、送信手段を有することを特徴としたものである。
【０００６】
請求項２の発明は、請求項１の発明において、ＰＣ用メールの宛先を個別で送信を行うか一括で送信を行うかの設定を、予め機器の設定として設定する設定手段を有することを特徴としたものである。
【０００７】
請求項３の発明は、請求項１の発明において、送信指示をする際に、ユーザーがＰＣ用宛先を個別で送信を行うか、一括で送信を行うかの指示を行う指示手段を有することを特徴としたものである。
【発明の効果】
【０００８】
請求項１の発明によると、複数の宛先が指定され、送信指示された場合に、ＰＣ用のメールアドレスには個別に送信を行い、インターネットファクシミリ用のメールアドレスには一括して送信を行う送信手段を有するので、受信相手に、誰に対して送ったかがわからないようにすることができる。
【０００９】
請求項２の発明によると、ＰＣ用宛先は個別で送信を行うか、一括で送信を行うかの設定を予め機器の設定として設定するようにしたので、ユーザーの仕様形態にあった設定を可能とすることができる。
【００１０】
請求項３の発明によると、送信指示をする際にユーザーがＰＣ用宛先は個別で送信を行うか、一括で送信を行うかの指示を行うようにしたので、送信する文書の内容に応じて、ユーザーの意思で受信相手に対して誰に送ったかをわかるようにしたり、わからないようにしたりすることができる。
【発明を実施するための最良の形態】
【００１１】
以下、添付図面を参照しながら本発明の実施例を詳細に説明する。
図１は、本発明に係るファクシミリ装置のブロック構成図を示したもので、図１において、スキャナ１は、原稿画像を読み取り画情報を取り出すもの、プロッタ２は、画像を記録紙に記録するもの、符号化復号部３は、ＭＨ方式などの既知の符号化方式により、送信する画情報を符号化によりデータ圧縮を行う一方、受信した画情報を復号化して元の画情報を再生するものである。モデム４は、画情報を変復調して伝送すると共に、伝送制御のための各種手順信号を伝送するものである。網制御装置５は、電話回線１１と電話機１２が接続されており、これら発着信を行うための回線制御を行う。操作表示部６は、装置の動作状態を表示する一方、オペレータが各種操作を行うものである。システム制御部７は、上記各部を制御するマイクロコンピュータである。システムバス８は、上記各部が相互間で各種制御信号やデータをやり取りする信号ラインである。ネットワークＩ／Ｆ９はＬＡＮ１３と接続され、メール送受信を行う際に使用される。
【００１２】
次に、図２のフローチャートを参照して、本発明の詳細な動作について説明する。
ユーザーは機器によく使う宛先として、機器の宛先表に宛先を登録する際に、ＰＣ用のメール宛先かインターネットファクス用のメール宛先かを登録しておく。
【００１３】
ＰＣ用の宛先を一括で送るか、個別で送るかの指示を行うのは、操作表示部６にてユーザーが送信指示を行うごとに指示するか、機器で予め設定してある。メール送信の指示があった場合、メール送信をする際の設定が、ＰＣ用の宛先は個別で送信する設定の場合（Ｓ１０１のＹＥＳ）、ＰＣ用宛先はＴｏのエリアに個別に設定し、複数の送信ファイルを作成する（Ｓ１０２）。
【００１４】
図３に記載した通り、複数の宛先が指定されていた場合、それぞれ、個別にＴｏのエリアに設定し、個別の送信ファイルを作成する。ＰＣ用宛先でも一括で送信する設定の場合（Ｓ１０１のＮＯ）、ＰＣ用の宛先もＴｏのエリアに連続して設定し、単一の送信ファイルを作成する（Ｓ１０３）。
【００１５】
図４に記載した通り、複数の宛先をひとつのＴｏのエリアに連続して記載し、単一の送信ファイルとする。その後、インターネットファクス送信処理を行う。このようにして、ＰＣ用の宛先に対しては一括でＴｏに記載するか、個別でＴｏのエリアに記載するかの処理を行う。
【図面の簡単な説明】
【００１６】
【図１】本発明に係るファクシミリ装置のブロック構成図である。
【図２】本発明の詳細な動作について説明するためのフローチャートである。
【図３】複数の宛先が指定されていた場合、それぞれ、個別にＴｏのエリアに設定し、個別の送信ファイルを作成する。
【図４】複数の宛先をひとつのＴｏのエリアに連続して記載し、単一の送信ファイルとする。
【符号の説明】
【００１７】
１…スキャナ、２…プロッタ、３…符号化復号部、４…モデム、５…網制御装置、６…操作表示部、７…システム制御部、８…システムバス、９…ネットワークＩ／Ｆ。
【図１】
2006261723.tif 000003
【図２】
2006261723.tif 000004
【図３】
2006261723.tif 000005
【図４】
2006261723.tif 000006